(57)【特許請求の範囲】
【請求項１】
椅子における背板に、その前面を覆うカバー部材を取付ける取付構造であって、
前記カバー部材を、前記背板の前面周縁部に沿う弾性撓曲可能な補強枠と、その前面に張設した伸縮性素材からなる張材とを備えるものとし、前記補強枠の後面に設けた複数の後向突起を、各後向突起に対応するようにして、前記背板の周縁部前面に設けた係合孔に嵌合し、さらに、いずれかの後向突起の後端に、後方に開口する凹孔を設け、かつ軸部の後端に拡大鍔部を設けたクリップにおける前記拡大鍔部を背板の後面に当接させて、前記軸部を前記凹孔に嵌合することにより、前記後向突起を係合孔より抜け止めしたことを特徴とする椅子における背板へのカバー部材取付構造。
【請求項２】
補強枠における下片に設けた後向突起の後端に、上向きのフック部を設け、これを、背板における係合孔の後上縁に係合し、かつ補強枠の上片に設けた後向突起の後端に凹孔を設けて、これにクリップの軸部を嵌合した請求項１記載の椅子における背板へのカバー部材取付溝造。
【請求項３】
クリップを、前端部をコレット状とした筒部の後端部に拡径フランジを設けたブッシュと、軸部の後端に拡径鍔を設けたピンとからなり、前記拡径フランジが背板の後面に当接するようにして、前記筒部を凹孔に嵌合し、かつ前記軸部を筒部内に嵌合することにより、前記軸部の前端部で前記筒部の前端部を押し広げて、凹孔の内面に圧接させることにより、前記筒部を凹孔より抜け止めするようにしたワンプッシュクリップとした請求項１または２記載の椅子における背板へのカバー部材取付溝造。
【請求項４】
いずれかの後向突起の後端部に、背板における対応する係合孔の後縁に係合しうるようにした鉤形のフック部を設けた請求項１〜３のいずれかに記載の椅子における背板へのカバー部材取付構造。
【請求項５】
後向突起の後端部に、側方に突出する係合爪を設け、この係合爪を、対応する係合孔の内側面における前後方向の中間部に設けた拡幅段部に係止させた請求項１〜４のいずれかに記載の椅子における背板へのカバー部取付材構造。
【請求項６】
背板の前面に多数の孔を設け、その孔の一部をもって、前記係合孔とした請求項１〜５のいずれかに記載の椅子における背板へのカバー部材取付溝造。
【発明の詳細な説明】
【技術分野】
【０００１】
本発明は、椅子における背板へのカバー部材取付構造に関する。
【背景技術】
【０００２】
硬質材料からなる板状の芯材の表面をクッション材により覆ったカバー部材を、椅子のフレームに固着した背板の前面に取り付けたものは公知である(例えば特許文献１または２参照)。
【特許文献１】特開２００２−１０２０１０号公報(図４)
【特許文献２】特開２００２−１２５７９０号公報(図５)
【発明の開示】
【発明が解決しようとする課題】
【０００３】
しかし、特許文献１および２に記載されているカバー部材取付構造では、着座者が背凭れに凭れ掛かったとき、背板が弾性変形するのに対して、カバー部材の芯材は、背板の変形に追従できず、背板の変形を阻害したり、背板から外れたりするおそれがある。
【０００４】
本発明は、従来の技術が有する上記のような問題に鑑み、カバー部材が背板の変形に追従でき、背板の変形を阻害したり、カバー部材が、背板から外れたりすることがないようにした、椅子における背板へのカバー部材取付構造を提供することを目的としている。
【課題を解決するための手段】
【０００５】
本発明によると、上記課題は次のようにして解決される。
(１)  椅子における背板に、その前面を覆うカバー部材を取付ける取付構造であって、前記カバー部材を、前記背板の前面周縁部に沿う弾性撓曲可能な補強枠と、その前面に張設した伸縮性素材からなる張材とを備えるものとし、前記補強枠の後面に設けた複数の後向突起を、各後向突起に対応するようにして、前記背板の周縁部前面に設けた係合孔に嵌合し、さらに、いずれかの後向突起の後端に、後方に開口する凹孔を設け、かつ軸部の後端に拡大鍔部を設けたクリップにおける前記拡大鍔部を背板の後面に当接させて、前記軸部を前記凹孔に嵌合することにより、前記後向突起を係合孔より抜け止めする。
【０００６】
(２)  上記(１)項において、補強枠における下片に設けた後向突起の後端に、上向きのフック部を設け、これを、背板における係合孔の後上縁に係合し、かつ補強枠の上片に設けた後向突起の後端に凹孔を設けて、これにクリップの軸部を嵌合する。
【０００７】
(３)  上記(１)または(２)項において、クリップを、前端部をコレット状とした筒部の後端部に拡径フランジを設けたブッシュと、軸部の後端に拡径鍔を設けたピンとからなり、前記拡径フランジが背板の後面に当接するようにして、前記筒部を凹孔に嵌合し、かつ前記軸部を筒部内に嵌合することにより、前記軸部の前端部で前記筒部の前端部を押し広げて、凹孔の内面に圧接させることにより、前記筒部を凹孔より抜け止めするようにしたワンプッシュクリップとする。
【０００８】
(４)  上記(１)〜(３)項のいずれかにおいて、いずれかの後向突起の後端部に、背板における対応する係合孔の後縁に係合しうるようにした鉤形のフック部を設ける。
【０００９】
(５)  上記(１)〜(４)項のいずれかにおいて、後向突起の後端部に、側方に突出する係合爪を設け、この係合爪を、対応する係合孔の内側面における前後方向の中間部に設けた拡幅段部に係止させる。
【００１０】
(６)  上記(１)〜(５)項のいずれかにおいて、背板の前面に多数の孔を設け、その孔の一部をもって、前記係合孔とする。
【発明の効果】
【００１１】
本発明によると、次のような効果を奏することができる。
上記(１)項の発明によると、着座者が背凭れに凭れ掛かると、補強枠が背板の変形に追従して、弾性撓曲するので、カバー部材が、背板の変形を阻害することがなく、しかも張材が伸縮性素材により形成されているので、張材が着座者の背の形状に倣うことができるとともに、補強枠が求心方向に引き寄せられ、後向突起が係合孔から離脱し難くなり、カバー部材が背板から外れ難くなる。
また、カバー部材の前面を、伸縮性の素材により形成してあるので、カバー部材の前面の皺の発生を防止することができる。
さらに、カバー部材を、クリップで抜け止めすることにより、背板から剥がれ難くすることができる。
【００１２】
上記(２)項の発明によると、補強枠における下片に設けた後向突起の後端に、上向きのフック部を設けて、これを、背板における係合孔の後上縁に係合し、かつ補強枠の上片に設けた後向突起の後端に凹孔を設けて、これにクリップの軸部を嵌合してあるので、カバー部材を、背板に、容易に外れることがないように、確実に取り付けることができる。
【００１３】
上記(３)項の発明によると、クリップを、ワンプッシュクリップとしてあるので、クリップの取り付け作業がさらに容易になる。
【００１４】
上記(４)項の発明によると、いずれかの後向突起の先端部に鉤形のフック部を設けてあるので、後向突起が係合孔から外れ難くなり、カバー部材が背板からみだりに外れるのを防止することができる。
【００１５】
上記(５)項の発明によると、係合爪と拡幅段部との係合により、後向突起を係合孔から抜け止めし、カバー部材が背板から容易に外れるのを防止することができる。
【００１６】
上記(６)項の発明によると、背板の前面に設けた多数の孔を、背板の模様として、背板の美観を高めることができるとともに、その孔の一部のものを、係合孔として利用するので、製造工程を短縮することができる。
【発明を実施するための最良の形態】
【００１７】
図１〜５は、本発明の一実施形態を備える椅子を示す。
図１に示すように、この椅子は、先端にキャスタ１を備え、かつ放射状に配置した５本の脚杆２と、全脚杆２の放射状の中心部に立設した脚柱３と、脚柱３の上端に設けた支基４と、支基４に取り付けられた座板５と、支基４の両側面に取り付けられ、後方に延出した後、座板５の後方より起立する左右１対の背凭れフレーム６、６と、両背凭れフレーム６、６の上端に設けた連結部６ａ、６ａに、左右方向を向く軸線を中心として後傾可能に取り付けられた、可撓性を有する合成樹脂製の背板７とを備えている。
【００１８】
背板７は、着座者の標準体型に応じて、側面視において、下部が前方に突出するくの字状に形成され、かつ平面視において、中央部が後方へ凹入する形状とされ、さらに、外周縁を除くほぼ全面にわたって、図２に示すように、多数の縦長孔８が、千鳥状の繰返しパターンで設けられている。
【００１９】
図１に示すように、背板７の前面を覆うカバー部材９は、可撓性を有する合成樹脂材料により、背板７の前面周縁部に沿う枠状に形成され、後面に、前記背板７における多数の縦長孔８のうち、背板７の周縁部に位置する係合孔１０に嵌合しうる複数の後向突起１２を備える補強枠１１と、その前面に張設された伸縮性素材からなる張材１３とからなっている。
【００２０】
補強枠１１は、左右１対の側片１４、１４と、上片１５と、下片１６とよりなっている。
【００２１】
下片１６に設けられたいずれかの後向突起１２の後端部には、係合孔１０の上縁に係合しうる上向き鉤形のフック部１７が設けられている。
【００２２】
また、上片１５と下片１６に設けたいずれかの後向突起１２には、ワンプッシュクリップ１８を嵌合係止しうるようにした、後方に開口する凹孔１９が設けられている。
【００２３】
ワンプッシュクリップ１８は、図３に示すように、前端部をコレット状とした筒部２０の後端に拡径フランジ２１を設けたブッシュ２２と、軸部２３の前端に拡径頭部２３ａを設け、かつ同じく後端に拡径鍔２４を設けたピン２５とからなっている。
【００２４】
このワンプッシュクリップ１８は、拡径フランジ２１が背板７の後面に当接するようにして、筒部２０を後方より凹孔１９に嵌合し、次いで、拡径鍔２４が拡径フランジ２１に当接するまで、軸部２３を筒部２０内に嵌合することにより、軸部２３の前端の拡径頭部２３ａで筒部２０の前端を押し広げて、凹孔１９の内面に圧接させることにより、筒部２０を凹孔１９より抜け止めすることができるようになっている。
【００２５】
図５に示すように、前記いずれかの後向突起１２の後端部には、側方へ拡開するやじり状の係合爪２６が設けられており、それに対応する背板７の各係合孔１０の内側面における中間部には、前記係合爪２６が係止しうるようにした、後方に向かって拡幅する拡幅段部２７が設けられている。
【００２６】
カバー部材９を、図１に矢印で示すように、背板７の前面に押し当て、補強枠１１の各後向突起１２を、対応する係合孔１０に前方より押し込み、各後向突起１２における係合爪２６を、対応する各拡幅段部２７に係止するとともに、フック部１７を、対応する係合孔１０の後端上縁に係止し、さらに、ワンプッシュクリップ１８を、後向突起１２の先端に設けられた凹孔１９に背板７の後方より嵌合して、その後向突起１２を係合孔１０から抜け止めすることにより、カバー部材９を、簡単かつ適切に、背板７へ装着することができる。
【００２７】
カバー部材９は、周縁部に弾性撓曲可能の補強枠１１を有し、かつ前面に張材１３を備えているため、装着後には、カバー部材９は背板７の変形に追従することができ、背板７の変形を阻害したり、背板７が変形した場合に、背板７からカバー部材９が外れたりすることはない。
【００２８】
本発明は、上記の実施形態のみに制限されるものではなく、特許請求の範囲を逸脱しない範囲で、変形した態様での実施が可能である。
例えば、上記実施形態では、ワンプッシュクリップ１８を用いているが、これに代えて、軸部の後端に拡大鍔部を設けた単純なクリップを用い、その拡大鍔部を背板７の後面に当接させて、上記軸部を凹孔１９に圧嵌することにより、後向突起１２を係合孔１０より抜け止めするようにしてもよい(図示略)。
【図面の簡単な説明】
【００２９】
【図１】本発明の一実施形態を備える椅子のカバー部材を背板に装着するときの状態を、斜め後方から見た分解斜視図である。
【図２】背板の半部を破断して示す背面図である。
【図３】図２におけるIII-III線に沿う拡大横断平面図である。
【図４】図３におけるワンプッシュクリップの装着前の平面図である。
【図５】図２におけるV-V線に沿う拡大横断平面図である。
【符号の説明】
【００３０】
１  キャスタ
２  脚杆
３  脚柱
４  支基
５  座板
６  背凭れフレーム
６ａ連結部
７  背板
８  縦長孔
９  カバー部材
１０  係合孔
１１  補強枠
１２  後向突起
１３  張材
１４  側片
１５  上片
１６  下片
１７  フック部
１８  ワンプッシュクリップ
１９  凹孔
２０  筒部
２１  拡径フランジ
２２  ブッシュ
２３  軸部
２３ａ拡径頭部
２４  拡径鍔
２５  ピン
２６  係合爪
２７  拡幅段部  
【図１】
0005384807.tif 000002
【図２】
0005384807.tif 000003
【図３】
0005384807.tif 000004
【図４】
0005384807.tif 000005
【図５】
0005384807.tif 000006